(57)【特許請求の範囲】
【請求項１】
脹脛マッサージ装置の基台１は、基台１の長手（Ａ−Ａ’）方向Ｔ字型枠板２と、上下（Ｙ,Ｚ）に位置する枠板２Ａと、長手（Ａ−Ａ’）方向後端（Ａ’後）部の枠板２Ｂをネジ３で固着して形成されており,基台１中央左端部長手（Ａ−Ａ’）方向Ｔ字型枠板２と前記上下（Ｙ,Ｚ）枠板２Ａと対向する内側側面の4面は,Ｌ字型形成されており,その側面にガイド溝４と、右端部に,後記するスプリング１３装置部の上部に蓋１８と、フック部１６Ａと,さらに、底部には第1ローラー体６先端部第１歯車２３用の波型ガイド溝４Ａを設けており,またさらに後端（Ａ’後）方向には、ローラー体支持板１５と,座椅子２０装着用凹部１９,及び固着用凹部１９Ａを設けており,ガイド板５には足裏板８装置用回転軸９Ｅと側面にベアリング固着部１２と,さらにガイド板（５）にスプリング１３装置用フック部１６を設けており,そして,前記固着部１２にベアリング１１を固着し、装着用凹部１９には背もたれ２１の表面に半球状凸部１４Ｆと,肘掛２２を設けた座椅子２０を固着し,固着用凹部１９Ａにはローラー体支持板（１０）の上下部に回転軸９Ｆ,９Ｄと表面に半球状凸部１４Ｅを設けたローラー体支持板１５の回転軸９Ｆを自在回転するよう装着されており,また,スプリング１３の左右先端部に設けた両装着用リング１７,１７Ａの一方（17）をフック部１６に,他方（１７Ａ）を他のフック部（１６Ａ）に脱着自在に装着しており、さらに,板状二本のローラー体支持軸１０側面の先端部に設けた装着用凹部１９Ｂに,ローラー体支持板１５の上部回転軸９Ｄを回転自在に装着し,さらに側面に第1ベアリング固着部（１２Ａ）,第２ベアリング装着部（１２Ｂ）,第３ベアリング装着部（１２Ｃ）、第４ベアリング装着部（１２Ｄ）を設けて第1ベアリング（１１Ａ）、第２ベアリング（１１Ｂ）、第３ベアリング（１１Ｃ）,第４ベアリング（１１Ｄ）を固着し、そして第１ローラー体（６）、第２ローラー体（６Ａ）、第３ローラー体（６Ｂ）,第４ローラー体（６Ｃ）の,左右先端部に第1回転軸（９）、第２回転軸（９Ａ）、第３回転軸（９Ｂ）、第４回転軸（９Ｃ）と、その内側に第1歯車（２３）、第２歯車（２３Ａ）、第３歯車（２３Ｂ）、第４歯車（２３Ｃ）,さらに左右の前記第１歯車（２３）、第２歯車（２３Ａ）、第３歯車（２３Ｂ）、第４歯車（２３Ｃ）と,各円周状表面に半球状凸部１４Ａ,14Ｂ,14Ｃ,１４Ｄを設けた前記第1ローラー体（６）、第２ローラー体（６Ａ）、第３ローラー体（６Ｂ）、第４ローラー体（６Ｃ）を、前記第１歯車（２３）、第２歯車（２３Ａ）,第３歯車（２３Ｂ）、第４歯車（２３Ｃ）が、円滑に連動回転するよう前記第１ベアリング（１１Ａ）、第２ベアリング（１１Ｂ）、第３ベアリング（１１Ｃ）、第４ベアリング（１１Ｄ）の順に装着している内の前記第１ローター体（６）は、先端部の前記第１歯車（２３）の直径のサイズは波型ガイド溝４Ａを介して前後に円滑に連動回転するよう、他の歯車（２３Ａ,２３Ｂ,２３Ｃ）が直線状に成った時、波型ガイド溝４Aに接触しないよう大きく設けられており、またさらに後記ローラー体に設けられている、第1ローラー体６の第１歯車（２３）が左端部方向回転時,第２ローラー体６Ａの第２歯車（２３Ａ）は右方向に回転,第３ローラー体6Ｂの第３歯��（２３Ｂ）は第２歯車（２３Ａ）と,連動するため左方向に回転し,さらに第４ローラー体6Ｃの第４歯車（２３Ｃ）は第３歯車（２３Ｂ）と連動し右方向に回転、右端部方向に回転時は正反対方向に回転することにより前記第１ロ−ラー体（６）,第３ローラー体（６Ｂ）と,第２ローラー体（A）、第４ロ−ラー体（６Ｃ）は常に正反対方向に回転し,上記のように先端部第１歯車（２３）が、ガイド溝４を前後に回転することにより他の歯車（２３Ａ,２３Ｂ,２３Ｃ）が連動回転する装置を、基台１内側に２列平行して設け前記装置の左右の足裏板8に足裏を当て,同時又は,交互及び片方で屈伸運動する場合,使用者の左右の脚力や体力に最も適したスプリングに簡単に交換できるよう,ガイド溝4右端部のスプリング13装着部の上部に蓋（18）を設け,スプリング（13）の左右先端部に両装着用リング17,17Aの一方（17）をフック部16に、他方（17A）を他のフック（16Ａ）に脱着自在に装着され,スプリングを簡単に交換できることを特徴とする脹脛マッサージ装置。
【発明の詳細な説明】
【技術分野】
【０００１】  本発明は，基台内側に同装置を２列平行して設け，左右の足裏を当て，同時又は，交互及び片方だけでも使用でき，足裏，脹脛，股，背中等にマッサージ効果を得られる，脹脛マッサージ装置に関する。
【背景技術】
【０００２】従来の装置は，座席に臀部を置き足裏板に足裏を当て前後に屈伸運動をするだけであり，装置の伸縮力は，必ずしも左右の脚力や体力に適応していなかつた。【０００３】また，足裏板，ローラー体支持板，座椅子，さらにローラー体円周状表面に半球状凸部を設け，半球状凸部の作用により，足裏、脹脛、股、背中等にマッサージ効果を得られる装置はなかつた。
【発明の開示】
【発明が解決しようとする課題】
【０００４】
【０００５】  以上述べたように従来は座席に臀部を下ろし，足裏板に足裏を当て屈伸運動をするだけの装置であった。【０００６】本発明は，従来の装置の構成が有していた問題点を解決しようとするものである。本装置の先端部足裏板表面と，座椅子表面，さらにローラー体支持板表面にも適宜な数とサイズの半球状凸部を設けることにより，座椅子に臀部を置いて先端部足裏板に足裏を当て屈伸運動時，半球状凸部の作用により，足裏，股及び背中等のツボを刺激することにより適宜なマッサージ効果を得ることができる。さらに，ローラー体表面に半球状凸部を設けている先端部歯車が，ガイド溝に設けられているガイド板と，スプリングの作用により波型ガイド溝を介して前後回転移動時，半球状凸部の作用により脹脛に手揉み感覚のマッサージ効果を得ることができる。左右の足裏を足裏板に当て、左右同時又は，交互に，さらに，どちらか片方でも使用できるよう、同装置を２列平行して設けている。また，スプリング装着部上部に開閉自在に蓋を設けることにより，使用者の左右の脚力や体力に最も適したスプリングに簡単に交換することができる脹脛マッサージ装置を実現することを目的とするものである。
【課題を解決する手段】
【０００７】
上記問題点を解決するために本発明の脹脛マッサージ装置の基台１は、基台１の長手（Ａ−Ａ’）方向Ｔ字型枠板２と、上下（Ｙ,Ｚ）に位置する枠板２Ａと、長手（Ａ−Ａ’）方向後端（Ａ’後）部の枠板２Ｂをネジ３で固着して形成されており,基台１中央左端部長手（Ａ−Ａ’）方向Ｔ字型枠板２と前記上下（Ｙ,Ｚ）枠板２Ａと対向する内側側面の4面は,Ｌ字型形成されており,その側面にガイド溝４と、右端部に,後記するスプリング１３装置部の上部に蓋１８と、フック部１６Ａと,さらに、底部には第1ローラー体６先端部第１歯車２３用の波型ガイド溝４Ａを設けており,またさらに後端（Ａ’後）方向には、ローラー体支持板１５と,座椅子２０装着用凹部１９,及び固着用凹部１９Ａを設けており,ガイド板５には足裏板８装置用回転軸９Ｅと側面にベアリング固着部１２と,さらにガイド板（５）にスプリング１３装置用フック部１６を設けており,そして,前記固着部１２にベアリング１１を固着し、装着用凹部１９には背もたれ２１の表面に半球状凸部１４Ｆと,肘掛２２を設けた座椅子２０を固着し,固着用凹部１９Ａにはローラー体支持板（１０）の上下部に回転軸９Ｆ,９Ｄと表面に半球状凸部１４Ｅを設けたローラー体支持板１５の回転軸９Ｆを自在回転するよう装着されており,また,スプリング１３の左右先端部に設けた両装着用リング１７,１７Ａの一方（17）をフック部１６に,他方（１７Ａ）を他のフック部（１６Ａ）に脱着自在に装着しており、さらに,板状二本のローラー体支持軸１０側面の先端部に設けた装着用凹部１９Ｂに,ローラー体支持板１５の上部回転軸９Ｄを回転自在に装着し,さらに側面に第1ベアリング固着部（１２Ａ）,第２ベアリング装着部（１２Ｂ）,第３ベアリング装着部（１２Ｃ）、第４ベアリング装着部（１２Ｄ）を設けて第1ベアリング（１１Ａ）、第２ベアリング（１１Ｂ）、第３ベアリング（１１Ｃ）,第４ベアリング（１１Ｄ）を固着し、そして第１ローラー体（６）、第２ローラー体（６Ａ）、第３ローラー体（６Ｂ）,第４ローラー体（６Ｃ）の,左右先端部に第1回転軸（９）、第２回転軸（９Ａ）、第３回転軸（９Ｂ）、第４回転軸（９Ｃ）と、その内側に第1歯車（２３）、第２歯車（２３Ａ）、第３歯車（２３Ｂ）、第４歯車（２３Ｃ）,さらに左右の前記第１歯車（２３）、第２歯車（２３Ａ）、第３歯車（２３Ｂ）、第４歯車（２３Ｃ）と,各円周状表面に半球状凸部１４Ａ,14Ｂ,14Ｃ,１４Ｄを設けた前記第1ローラー体（６）、第２ローラー体（６Ａ）、第３ローラー体（６Ｂ）、第４ローラー体（６Ｃ）を、前記第１歯車（２３）、第２歯車（２３Ａ）,第３歯車（２３Ｂ）、第４歯車（２３Ｃ）が、円滑に連動回転するよう前記第１ベアリング（１１Ａ）、第２ベアリング（１１Ｂ）、第３ベアリング（１１Ｃ）、第４ベアリング（１１Ｄ）の順に装着している内の前記第１ローター体（６）は、先端部の前記第１歯車（２３）の直径のサイズは波型ガイド溝４Ａを介して前後に円滑に連動回転するよう、他の歯車（２３Ａ,２３Ｂ,２３Ｃ）が直線状に成った時、波型ガイド溝４Aに接触しないよう大きく設けられており、またさらに後記ローラー体に設けられている、第1ローラー体６の第１歯車（２３）が左端部方向回転時,第２ローラー体６Ａの第２歯車（２３Ａ）は右方���に回転,第３ローラー体6Ｂの第３歯車（２３Ｂ）は第２歯車（２３Ａ）と,連動するため左方向に回転し,さらに第４ローラー体6Ｃの第４歯車（２３Ｃ）は第３歯車（２３Ｂ）と連動し右方向に回転、右端部方向に回転時は正反対方向に回転することにより前記第１ロ−ラー体（６）,第３ローラー体（６Ｂ）と,第２ローラー体（A）、第４ロ−ラー体（６Ｃ）は常に正反対方向に回転し,上記のように先端部第１歯車（２３）が、ガイド溝４を前後に回転することにより他の歯車（２３Ａ,２３Ｂ,２３Ｃ）が連動回転する装置を、基台１内側に２列平行して設け前記装置の左右の足裏板8に足裏を当て,同時又は,交互及び片方で屈伸運動する場合,使用者の左右の脚力や体力に最も適したスプリングに簡単に交換できるよう,ガイド溝4右端部のスプリング13装着部の上部に蓋（18）を設け,スプリング（13）の左右先端部に両装着用リング17,17Aの一方（17）をフック部16に、他方（17A）を他のフック（16Ａ）に脱着自在に装着され,スプリングを簡単に交換できることを特徴とする脹脛マッサージ装置。
【０００８】脹脛マッサージ装置の左右の足裏板８に足裏を当て，同時又は，交互及び片方で屈伸運動する場合，使用者の左右の脚力や体力に最も適したスプリングに簡単に交換できるよう，ガイド溝４右端部のスプリング１３装着部の上部に蓋１３を設け，スプリングの左右先端部に装着用リング１７，１７Ａを設けてフック部１６．１６Ａに脱着自在に装着されている。上記のように構成され，スプリングを簡単に交換できる。
【０００９】上記のように構成された本発明の脹脛マッサージ装置は，基台内側にローラー体を２列平行して設けたことにより、左右の足裏を足裏板に当て同時又は，交互及び，どちらか片方でも使用出来る。さらにスプリング装着部上部に開閉自在な蓋を設けたことにより，本装置を使用する不特定多数の老若男女の健常者等は勿論のこと，一部の障害者にも左右の脚力や体力に最も適したスプリングに簡単に交換することができる，優しい脹脛マッサージ装置である。
【発明の効果】
【００１０】上述したように本発明は，使用者の左右の脚力や体力等に常時，最も適したスプリングに簡単に取り替えることができる。足裏板，ローラー体支持板や，座椅子の表面及びローラー体の円周状表面に設けた半球状凸部の作用により足裏板に足裏を当て屈伸運動することにより，先端部歯車が波型ガイド溝を介して前後に連動回転するとき，ローラー体の回転方向は同一方向に回転しないため脹脛に容易に手揉み感覚のマッサージ効果を得ることができる。また同時に足裏や股及び背中等のツボ等にも適宜なマッサージ効果が得ることができる，脹脛マッサージ装置を提供できる。
【００１１】また，スプリングやベアリング等を除外すれば，ほぼ全体を軽量素材のプラスチック等で製造可能であり，そのため輸送時の取り扱いや，使用する場合の移動も容易であり，さらに製造コストも安価である。
【００１２】さらに，足裏板表面に半球状凸部を設けることにより第二の心臓と言われている，足裏のツボにも適宜な刺激のマッサージ効果を得ることができる。
【００１３】また，使用時，半球状凸部を設けているローラー体の歯車は連動回転するよう設けられているが，回転方向は全ての歯車が同一方向に回転しないために特に，脹脛には適宜な刺激の手揉み感覚のマッサージ効果を得ることができる。
【００１４】さらに，スプリング装着部上部には開閉自在の蓋を設けられており脚力や体力に最も適したスプリングに簡単に交換できる。
【００１５】また，半球状凸部を設けられているローラー体の，対向する半球状凸部との間隔は，衣服等を巻き込み難いよう考慮して設けられている。
【００１６】またさらに，ガイド溝先端左端部とガイド板先端左端部の間隔を適宜に設け，スプリングの変りに，オイルダンパーを設けることも可能であり限定するものではない。
【００１７】また，特に高齢者や歩行困難な人々でも雨天好天，寒暖等をきにすることなく室内で，散歩時と同様な効果と，さらにマッサージ効果も得ることができる。
【００１８】さらに，動力を使用しないため電源の必要はなく経済的であり，特に年配者には危険が伴うコード類も無く安全である。
【発明を実施するための最良の形態】
【００１９】以下、本発明の実施の形態を図１から図８に基づいて説明する。【００２０】実施について説明すると，図１において，本発明の脹脛マッサージ装置の基台１は，Ａ−Ａ’方向Ｔ字型枠板２と，上下方向Ｙ，Ｚの枠板２Ａと，Ａ’後方枠板２Ｂをネジ３で固着して形成されており，そして基台１中央左端部のＴ字型枠板２と，上下方向Ｙ，Ｚの枠板２Ａと対向する内側側面４面はＬ字型に形成されており，その側面にガイド溝４を設け，その右端部に後記するスプリング１３装着部の上部に蓋１８と，フック部１６Ａとを設けられており，また，Ｌ字型低部には波型ガイド溝４Ａを設けられており，後部Ａ’方向に装着用凹部１９，１９Ａを設け，前記ガイド溝４には足裏板８を装着する回転軸９Ｅを設けた足裏板支持軸７を一体化して設けられたガイド板５を，ガイド溝４に移動自在に設けられており，さらに，そのガイド板５側面にベアリング固着部１２を設けてベアリング１１を固着し，さらに右端部にスプリング１３装着用のフック部１６を設けており、後部Ａ’方向装着用凹部１９には背もたれ２１の表面に半球状凸部１４Ｆと肘掛２２を設けられた座椅子２０を装着して設け，そして，ガイド板５の足裏板支持軸７の回転軸９Ｅには，表面に半球状凸部１４と装着用凹部１９Ｃを設けた足裏板８の装着用凹部１９Ｃを自在回転するよう装着されており，さらに上部先端部に装着用凹部１９Ｂと，側面にベアリング固着部１２Ａ，１２Ｂ，１２Ｃ，１２Ｄを設けてベアリリング１１Ａ，１１Ｂ，１１Ｂ，１１Ｃ，１１Ｄを固着したローラー体支持軸１０に，ローラー体６，６Ａ，６Ｂ，６Ｃ左右先端部に回転軸９，９Ａ，９Ｂ，９Ｃと，その内側に歯車２３，２３Ａ，２３Ｂ，２３Ｃを設けた，左右の歯車２３，２３Ａ，２３Ｂ，２３Ｃの円周状表面に半球状凸部１４Ａ，１４Ｂ，１４Ｃ，１４Ｄを設けられた回転軸９，９Ａ，９Ｂ，９Ｃの順に，歯車２３，２３Ａ，２３Ｂ，２３Ｃが円滑に連動回転するようローラー体支持軸１０のベアリング１１Ａ，１１Ｂ，１１Ｃ，１１Ｄに装着された内の回転軸９だけは，ベアリング１１Ａを介してガイド板５のベアリング１１に装着されており，また，ローラー体１０上部先端部の装着用凹部１９Ｂは，後部Ａ方向のローラー体支持板１５の表面に半球状凸部１４Ｅと回転軸９Ｆ，９Ｄを設け，前記装着用凹部１９Ａに回転軸９Ｆを，そして回転軸９Ｄはローラー体支持軸１０の装着用凹部１９Ｂに回転自在にネジ３Ａで装着されており，また左右先端部に装着用リング１７，１７Ａを設けたスプリングの装着用リング１７を前記ガイド板５のフック部１６に，装着用リング１７Ａをガイド溝４のフック部１６Ａに脱着自在に装着している。そしてスプリング１３の作用により先端部歯車２３が波型ガイド溝４Ａを介して前後に円滑に移動できるよう，前進移動時他の歯車２３Ａ，２３Ｂ，２３Ｃが直線状に成った時，波型ガイド溝４Ａに接触しない範囲で先端部歯車２３の直径のサイズは大きく設けられており，そして，Ａ方向回転時は先端部歯車２３と２３Ｂは左に，２３Ａと２Ｃは右方向に，Ａ’方向回転時は正反対方向に回転する。そして座椅子２０に臀部を下ろし，左右の足裏を足裏板８に当て同時又は交互，さらに，どちらか片方だけでも屈伸運動できるよう設けられておりさらに足裏板８，ローラー体６，６Ａ，６Ｂ，６Ｃ，ローラー体支持板１５及び座椅子２０に設けられている半球状凸１４，１４Ａ，１４Ｂ，１４Ｃ，１４Ｄ，１４Ｄ，１４Ｅ，１４Ｆの作用により足裏，脹脛，股や背中等に適宜なマッサージ効果を得られる。上記のように構成された脹脛マッサージ装置は，左右の脚力及び体力に最も適したスプリング１３に簡単に交換できると共に，基台１内側に同装置を２列平行して設けられている脹脛マッサージ装置である。【００２１】また，上記のように左右の脚力に最も適したスプリングに簡単に交換できるよう構成されている。装置の座椅子２０に臀部を下ろし，足裏板８に足裏を当て前後に屈伸運動をする時，足裏板８，ローラー体支持板１５，座椅子２０等の表面の半球状凸部１４，１４Ｅ，１４Ｆにより，足裏，股や背中等に適宜な刺激のマッサージ効果を得ることができる。さらに，ローラー体６，６Ａ，６Ｂ，６Ｃの円周状表面に設けられている半球状凸部１４Ａ，１４Ｂ，１４Ｃ，１４Ｄは，スプリングの作用によりローラー体６先端部歯車２３が波型ガイド溝４Ａを介して回転しながら移動する時，他の歯車２３Ａ，２３Ｂ，２３Ｃも同時に連動回転する。回転方向は，常に歯車２３，２３Ｂと２３Ａ，２３Ｃは正反対方向に回転することにより，特に脹脛には手揉み感覚のマッサージ効果を得られる脹脛マッサージ装置である。【００２２】図２は，図１のＢ−Ｂ”方向を示す側面断面図である。説明すると，基台１は，枠板２，２Ａ，２Ｂで形成されている。Ａ方向中央左端部側面にガイド溝４を設け，その右端部のスプリング装着部上部に自在開閉の蓋１８と後記するフック１６Ａを設けている。さらに，後部Ａ’方向に装着用凹部１９，１９Ａを設けている。そしてガイド溝で自在移動するガイド板４Ａに一体化して足裏板装着用の足裏板支持軸７と，側面にベアリング固着部１２設け，ベアリング１１を固着して先端部ローラー体６の回転軸９を装着している。さらに右端部にフック部１６を設けて，左１７Ａ右先端部に装着用リング１７，１７Ａを設けたスプリング１３の装着用リング１７を前記フック部１６に，１７Ａをフック部１６Ａに脱着自在に装着されている。そして、ローラー体支持板の回転軸９Ｆを装着用凹部１９Ａに，肘掛２２と背もたれ２１を設けた座椅子２０を装着用凹部１９に装着している。【００２３】図３は，図１のＣ−Ｃ”方向を示す側面断面図である。基台１は，枠板２，２Ａ，２Ｂで形成されている。基台１中央左端部Ａ方向内側側面にガイド溝４を設け，右端部にスプリング１３装着用のフック１６Ａとスプリング１３交換用の蓋１８を設けている。また，枠板２中央後方向Ａ’にローラー体支持板１５装着用凹部１９Ａと，座椅子２０装着用凹部１９を設け，前記ローラー体支持板１５上下に装着用回転軸９Ｄ，９Ｆ設けた回転軸９Ｆを装着用凹部１９Ａに，肘掛と背もたれ２１を設けて座椅子２０を装着用凹部１９に装着している。そして，二本のローラー体支持軸１０の上部装着用凹部１９Ｂに前記回転軸９Ｄをネジ３Ａで自在回転するよう装着している。また、図解されていないがベアリング固着部に，ベアリングを固着，左右先端部に回転軸と歯車２３，２３Ａ，２３Ｂ，２３Ｃと，円周状表面に半球状凸１４Ａ，１４Ｂ，１４Ｃ，１４Ｄを設けたローラー体６，６Ａ，６Ｂ，６Ｃの回転軸を装着している。さらに，ガイド板５には，足裏板８を設けるための装着用回転軸９Ｅを設け，表面に半球状凸部１４と装着用凹部１９を設けた足裏板８を自在回転出来るよう装着した，足裏支持軸７を一体化して設け，右端部にさらに図解されていないが側面の，前記先端部ローラー体６の回転軸がローラー体支持軸１０のベアリングを介してガイド板５側面のベアリングに装着されている。また，左右先端部に装着用リング１７，１７Ａを設けたスプリング１３の装着用リング１７を前記フック部１６に，１７Ａをフック部１６Ａに脱着自在に装着されている。そして，低部には先端部歯車２３が前後に自在に移動できるよう波型ガイド溝４Ａを設けている。【００２４】図４は，図１のＤ−Ｄ’方向を示す側面断面図である。説明すると，基台１は，枠板２，２Ａ，２Ｂをネジ３で固着されて形成されている。基台１中央左端部Ａ方向内側側面にガイド溝４を設け，右端部にスプリング１３装着用のフック１６Ａとスプリング１３交換用の蓋１８を設けている。また，枠板２中央後方向Ａ’にローラー体支持板１５装着用凹部１９Ａと，座椅子２０装着用凹部１９を設け，前記ローラー体支持板１５の表面には半球状凸部１４Ｆと，上下に装着用回転軸９Ｄ，９Ｆ設けた回転軸９Ｆを装着用凹部１９Ａに，また、背もたれ２１に半球状凸部１４Ｆと、肘掛２２を上部方向自在回転出来るよう設けた座椅子２０を，装着用凹部１９に装着している。そして，二本のローラー体支持軸１０の上部装着用凹部１９Ｂに前記回転軸９Ｄをネジ３Ａで自在回転するよう装着している。また、図解されていないがベアリング固着部に，ベアリングを固着，左右先端部に回転軸と，歯車２３，２３Ａ，２３Ｂ，２３Ｃと，円周状表面に半球状凸１４Ａ，１４Ｂ，１４Ｃ，１４Ｄを設けたローラー体６，６Ａ，６Ｂ，６Ｃの回転軸を装着している。さらに，ガイド板５には，足裏板８を設けるための装着用回転軸９Ｅを設け，表面に半球状凸部１４と装着用凹部１９を設けた足裏板８を自在回転出来るよう装着した，足裏支持軸７を一体化して設け，右端部にさらに図解されていないが側面の，前記先端部ローラー体６の回転軸がローラー体支持軸１０のベアリングを介してガイド板５側面のベアリングに装着されている。また，左右先端部に装着用リング１７，１７Ａを設けたスプリング１３の装着用リング１７を前記フック部１６に，１７Ａをフック部１６Ａに脱着自在に装着されている。そして，低部には先端部歯車２３が前後に自在に移動できるよう波型ガイド溝４Ａを設けている。【００２５】図５は，図１のＡ−Ａ’方向基台内側に同装置を２列平行して設けた，Ｅ−Ｅ’方向先端部ローラー体の断面と，一部を示す拡大図である。説明すると，基台１は，Ａ−Ａ’方向Ｔ字型枠板２と，Ｙ，Ｚ方向２Ａ及びＡ’後方２Ｂをネジで固着して形成されている。そして対向するＴ字型枠板２と，Ｙ，Ｚ方向枠板対向する内側側面の４面はＬ字型に形成され，側面にガイド溝４と、低部には波型ガイド溝４Ａを設けている。また、ローラー体支持軸１０の側面のベアリング固着部１２Ａ，１２Ｂと，ガイド板５の側面にもベアリング固着部１２を設けて，ベアリング１１，１１Ａ，１１Ｂを固着している。さらに，左右先端部に回転軸９，９Ａと歯車２３，２３Ａと，円周状表面に半球状凸部１４Ａ，１４Ｂを設けたローラー体６，６Ａの回転軸９Ａはベアリング１１Ｂに，そして先端部の歯車２３が波型ガイド溝４Ａを介して前後に円滑に移動できるよう、回転軸６はベアリング１１Ａを介してガイド板５側面のベアリング１１に装着されている。【００２６】図６は，板状のローラー体支持軸を示す側面図である。説明すると，先端部にローラー体支持板上部装着する装着用凹部１９Ｂと，ローラー体回転軸を装着するための，ベアリング固着部１２Ａ，１２Ｂ，１２Ｃ，１２Ｄにベアリング１１Ａ，１１Ｂ，１１Ｃ，１１Ｄを固着したローラー体支持軸１０である。【００２７】図７は，図６のローラー体支持軸のベアリング固着部にローラー体回転軸を設けた一部断面を示す平面図である。説明すると，板状のローラー支持軸１０の側面先端部に，ローラー体支持板上部装着部凹部１９Ｂと，さらに，ベアリング固着１２Ａ，１２Ｂ，１２Ｃ，１２Ｄを設けてベアリング１１Ａ，１１Ｂ，１１Ｃ，１１Ｄを固着している，そして，ローラー体６，６Ａ，６Ｂ，６Ｃの左右先端部に回転軸９，９Ａ，９Ｂ，９Ｃと，歯車２３，２３Ａ，２３Ｂ，２３Ｃを設けた回転軸９，９Ａ，９Ｂ，９Ｃをベアリング１１Ａ，１１Ｂ，１１Ｃ，１１Ｄに装着している。【００２８】図８は，足裏板を足裏板支持軸に設けた一部分を示す拡大図である。説明すると、図解されていないが，カイド板と一体化して設けられている足裏板支持軸７の上部に足裏板８装着用の回転軸９Ｅ設けている。足裏板８表面に半球状凸部１４と装着用凹部１９Ｃを設けている。さらに足裏板８が常に上下方向直線状を保持できるよう足裏板８重心部が低部に成るよう装着用凹部１９Ｃを上部に設けて足裏板８が自在回転できるよう回転軸９Ｅに装着されている。【００２９】上記のように設けられている足裏板表面の半球状凸部の数やサイズは適宜に設けられている。【００３０】また，スプリングの作用により前後移動しながら回転するローラー体円周状の半球状凸部は，脹脛に手揉み感覚のマッサージ効果を得られるが、さらに足裏板、ローラー体支持板及び座椅子表面に設けられている半球状凸部の作用により、足裏，股及び背中等ツボにも適宜な刺激を得ることが期待できる。【００３１】さらに，本装置を製造する場合の材料は，基台を金属や木材等を用いることも可能であるが、一部のスプリングやベアリング等を除外すれば，金型加工できるプラスチック等を用いて安価で製造でき経済性にも優れている。【００３２】また、ローラー体支持軸にローラー体回転軸を装着したときにローラー体の歯車が使用者の衣服等を巻き込まないようローラー体支持軸先端部歯車が波型ガイド溝を前後に円滑回転移動できるよう危険防止用のカーバーを設けることが好ましい。【００３３】また，足裏，ローラー体，ローラー体支持板及び背もたれ表面の半球状凸部の数やサイズは適宜に設けられており，限定するものではない。【００３４】さらに，スプリングを使用せず替わりにガイド板先端部に適宜な間隔を設けて，オイルダンパーを用いることも可能であるが，経済性を考慮するとスプリングの方が安価であり好ましい。【００３５】また，ローラー体支持軸先端部を下部方向に適宜な形状に設けたり上部方向に適宜な弓なり状に設けることにより歯車が波型ガイド溝に接触しなくなり，設けられる形状次第で先端部歯車の直径のサイズは限定するものではない。【００３６】上記のような形状のローラー体支持軸を設けることにより，歯車全体の直径のサイズが全て異なる場合でも円滑に回転できる。【００３７】また，基台内側側面に設けられるガイド溝及びガイド板の形状は円滑に移動可能で有れば良く限定するものではない。
【図面の簡単な説明】
【００３８】
【図１】においては，本発明の脹脛マッサージ器の実施形態を示す平面図である。
【００３９】
【図２】は，図１のＡ−Ａ‘方向を示す側面断面図である。
【００４０】
【図３】は，図１のＢ−Ｂ’方向を示す側面断面図である。
【００４１】
【図４】は，図１のＣ−Ｃ’方向を示す側面断面図である。
【００４２】
【図５】は，図１のＡ−Ａ’方向基台内側に同装置を２列平行して設けた，Ｅ−Ｅ’方向先端部ローラー体の断面と，一部を示す拡大図である。
【００４３】
【図６】は，ローラー体支持軸を示す側面図である。
【００４４】
【図７】は，図６のローラー体支持軸のベアリング固着部にローラー体回転軸を設けた一部断面を示す平面図である。
【００４５】
【図８】は，足裏板を足裏板支持軸に設けた一部分を示す拡大図である。
【符号の説明】
【００４６】基台                  １
枠板                  ２，２Ａ，２Ｂ
ネジ                  ３，３Ａ，３Ｂ
ガイド溝              ４，４Ａ
ガイド板              ５
ロ−ラ−体            ６，６Ａ，６Ｂ，６Ｃ，
足裏板支持軸          ７
足裏板                ８
回転軸                ９、９Ａ、９Ｂ、９Ｃ，９Ｅ，９Ｆ９Ｄ
ロ−ラ−体支持軸      １０
ベアリング            １１，１１Ａ，１１Ｂ，１１Ｃ，１１Ｄ
ベアリング固着部      １２，１２Ａ，１２Ｂ，１２Ｃ，１２Ｄ
スプリング            １３
半球状凸部            １４，１４Ａ，１４Ｂ，１４Ｃ，１４Ｄ，１４Ｅ，１４Ｆ
ローラー体支持板      １５
フック部              １６，１６Ａ
装着用リング          １７，１７Ａ
蓋                    １８
装着用凹部            １９，９Ａ，１９Ｂ，１９Ｃ
座椅子                ２０
背もたれ              ２１
肘掛                  ２２
歯車                  ２３，２３Ａ，２３Ｂ，２３Ｃ
方向                  Ａ−Ａ’，Ｂ−Ｂ’，Ｃ−Ｃ’，Ｄ−Ｄ’，Ｅ−Ｅ’，Ｙ−Ｚ
【要約】
【課題】左右の足裏で同時又は交互または，どちらか片方でも，老若男女の健常者は勿論、一部の障害者にも使用し易く，脚力は勿論，マッサージ効果を得られるようにすること。
【解決手段】基台内側に同装置を２列平行して設け，スプリング交換用の蓋をもうける。そして，ローラー体円周状表面と，足裏板と，ローラー体支持板及び座椅子等の表面に適宜なサイズの半球状凸部を設けることにより、常に左右の脚力及び体力に最も適したスプリングに簡単に交換できるよう設けることにより，脚力及び体力強化は勿論のこと、足裏、脹脛、股及び背中等に適宜なマッサージ効果を得られるように構成された，使用者に優しい脹脛マッサージ器を提供できる。
【選択図】図１【図１】
0004272250.tif 000002
【図２】
0004272250.tif 000003
【図３】
0004272250.tif 000004
【図４】
0004272250.tif 000005
【図５】
0004272250.tif 000006
【図６】
0004272250.tif 000007
【図７】
0004272250.tif 000008
【図８】
0004272250.tif 000009